(57)【特許請求の範囲】
【請求項１】
コンクリートブロックを懸吊して脱型する際に用いるコンクリートブロック脱型用吊り具であって、内部に上下方向の透孔を有し、下側から上側に向けて先細に形成されているピン体と、前記ピン体の透孔に貫装される柱体とで構成され、前記柱体は上下両端側において前記透孔に挿通不能な突部を有すると共に、下端に係合部を備えていることを特徴とするコンクリートブロック脱型用吊り具。
【請求項２】
コンクリートブロックを懸吊して脱型する際に用いるコンクリートブロック脱型用吊り具であって、内部に上下方向の透孔を有すると共に、下端側に前記透孔の下側に連続する中空部を有し、下側から上側に向けて先細に形成されているピン体と、前記ピン体の透孔に貫装される柱体とで構成され、前記柱体は上下両端側において前記透孔に挿通不能な突部を有し、下端に係合部を有することを特徴とするコンクリートブロック脱型用吊り具。
【請求項３】
柱体は、下端側に前記ピン体の透孔に挿通不能な突部を有するボルトによって構成されていることを特徴とする請求項１又は２記載のコンクリートブロック脱型用吊り具。
【発明の詳細な説明】
【０００１】
【発明の属する技術分野】
この発明は、コンクリートブロックのようなコンクリート製品を懸吊して型枠から脱型する際に用いる吊り具に関し、特に、コンクリート打設前に、型枠内に取り付け、コンクリート硬化後、吊り上げられてコンクリート製品と共に脱型され、その後、該コンクリート製品から取り外されて、再使用に供し得るコンクリートブロック脱型用吊り具に関する。
【０００２】
【従来の技術】
従来コンクリートブロックのようなコンクリート製品を懸吊して型枠から脱型する際には、コンクリートブロック脱型用吊り具として丸鋼吊り金物やアンカーピンが用いられていた。丸鋼吊り金物を用いる場合には、図９に示すように、予め、丸鋼吊り金物４２をコンクリートの中に埋め込んでおき、コンクリートの硬化後、コンクリートブロック４０に埋め込まれている（取り付けられている）丸鋼吊り金物４２にクレーンのような機具の吊り下げ部を掛止して、型枠４１から矢示４３のように吊り上げて脱型していた。これは、アンカーピンを用いる場合も同様であった。
【０００３】
【発明が解決しようとする課題】
前記のように、コンクリートブロックを懸吊して脱型する際に用いるコンクリートブロック脱型用吊り具として丸鋼吊り金物やアンカーピンを用いる場合には、以下のような不都合があった。すなわち、丸鋼吊り金物４２を用いた場合、現場据付用に丸鋼吊り金物４２を使用しない時には、吊り金物４２を切断するが、錆が出るという問題点があり、これを防止すべく、切断後、表面をモルタル仕上げするという面倒な作業工程が必要になる。また、ガスで吊り金物４２を切断しようとすると、コンクリート製品に焼け跡が残り、見栄えが悪くなるという問題点がある。一方、アンカーピンを用いた場合には、脱型作業の安全性は確保できるが、原材料費がかさみ、また型枠にアンカーピンをセットするのに手間がかかり、更に、脱型時にアンカーピンを固定しておく治具の取り外しに手間がかかるという問題点があった。
【０００４】
本発明は前記問題点を解決し、脱型作業の安全性を確保することができるのみならず、型枠への据付け（取り付け）、コンクリート製品からの取り外しが容易で、安価に提供することができるコンクリートブロック脱型用吊り具を提供することを目的としている。
【０００５】
【課題を解決するための手段】
本発明は、従来、有孔のコンクリート製品を製造する際に使用されていた孔開け用治具、すなわち、コンクリート打設前に型枠内へ据付け（取り付け）られ、型枠内へのコンクリート打設、硬化後、脱型されたコンクリート製品から、該コンクリート製品に透孔を設けるために取り外される、従来の、有孔のコンクリート製品製造に用いる、孔開け用治具を活用することによって前記課題を解決したものである。
【０００６】
すなわち、前記孔開け用治具を、コンクリート製品の底面側になる方からコンクリート製品の表面側になる方に向けて先細に形成されているピン体によって構成し、当該ピン体内に上下方向の透孔を設け、該透孔に貫装される柱体であって、上下両端側において前記透孔に挿通不能な突部を有すると共に、下端に係合部を有する柱体を前記ピン体と一体に組み合わせることによって、前記課題を解決したものである。
【０００７】
【発明の実施の形態】
本発明のコンクリートブロック脱型用吊り具１、２３は、型枠内で硬化、成型されたコンクリートブロックなどのコンクリート製品を、懸吊して型枠から脱型する際に用いるコンクリートブロック脱型用吊り具である。このコンクリートブロック脱型用吊り具１、２３は内部に上下方向の透孔３、２５を有する円錐台形状のピン体２、２４と、前記ピン体の透孔３、２５に貫装される柱体４、２６とで構成され、前記柱体４、２６は上下両端側において前記透孔３、２５に挿通不能な突部を有すると共に、下端に係合部７、２９を備えていることを特徴とするものである。
【０００８】
ピン体２、２４の太径となっている下端側を型枠の下板の上に搭載し、柱体４、２６の下端係合部７、２９で吊り具１、２３を型枠の下板に係合、固定させ、コンクリートを型枠内に打設する。コンクリート硬化後、柱体４、２６の下端係合部７、２９と型枠の下板との間の係合、固定を解除し、柱体４、２６の上端側の透孔３、２５に挿通不能な突部にクレーンのような機具の吊り下げ部を掛止して、柱体４、２６を型枠の上方向に引き上げると、柱体４、２６下端側の透孔３、２５に挿通不能な突部が円錐台形状のピン体２、２４の下端側に掛止され、ピン体２、２４も柱体４、２６と一体になって上方向に吊り上げられる。この時、ピン体２、２４は、コンクリート製品の底面側になる方（型枠の下板側）が太径で、コンクリート製品の表面側になる方（型枠の上側）が細径の円錐台形状に形成されているので、コンクリート製品も、前記柱体４、２６とピン体２、２４とで構成されている吊り具１、２３と共に、吊り上げられ、型枠から脱型される。脱型後、吊り具１、２３の細径となっている上端側から、太径となっている下端側に向けて打撃を与えて、吊り具１、２３をコンクリート製品から抜き取れば、有孔のコンクリート製品１３ができ、また、吊り具１、２３は、何度でも、再使用することができる。
【０００９】
前記において、ピン体２を、その下端側において、透孔３の下側に連続する中空部９を有する構成にすれば、型枠の下板として面一な下板１０を用いることができる。一方、型枠の下板として凹部３２を有する下板３１を採用すれば、透孔２５の部分以外は下端まで充実している（中空部９を備えていない）ピン体２４を用いることができる。
【００１０】
また、前記において、柱体４、２６を、下端側にピン体２、２４の透孔３、２５に挿通不能な突部を有するボルトによって構成し、型枠下板にナットを固着させておけば、透孔３、２５に挿通不能なボルトの頭部６を、クレーンのような機具の吊り下げ部を掛止する部分とすることができ、また、吊り具１、２３の型枠下板への取り付け、取り外しは、ネジ部となっているボルトの下端７、２９を型枠下板に固着されているナットへの螺合、あるいはその解除によって行うことができるので、型枠への据付け（取り付け）、取り外しが容易になる。
【００１１】
【実施例１】
この発明の好ましい実施例を図１、２、３、４、５、８を用いて説明する。
【００１２】
この発明のコンクリートブロック脱型用吊り具１は、内部に上下方向の透孔３を有する金属製のピン体２に、柱体たるボルト４が貫装され、両者一体となって構成されている。
【００１３】
ピン体２は、下端側が太径で、上端側が細径の円錐台形状に構成され、下端側には、透孔３の下側に連続する中空部９が設けられている（図１（ａ）、（ｂ））。
【００１４】
ボルト４は、ピン体２の上下方向透孔３に挿通可能な円柱体５と、その上端に螺着された（固着された）頭部６とによって構成されており、円柱体５の下端７は係合部として構成され、ネジ溝が刻設された（あるいはネジ山が設けられた）ネジ部となっている。また、円柱体５の下端近傍には、透孔３に挿通不能な突部としての鍔８が設けられている（図１（ａ）、（ｂ））。頭部６は、図示のように透孔３に挿通不能な大きさであり、円柱体５の上端側に設けられた透孔３に挿通不能な突部としての役割をはたしている。
【００１５】
このコンクリートブロック脱型用吊り具１は、以下のように使用される。
【００１６】
まず、型枠の下板として、図８（ａ）図示のように面一に構成されていて、所定位置に透孔３６を有する型枠の下板１０を準備する。下板１０の底面には、透孔３６に螺孔１１ａを臨ませたナット１１が固着されている。本発明においては、コンクリートブロック脱型用吊り具１は、有孔のコンクリート製品を製造するための孔開け用治具を兼用しているので、前記透孔３６を設ける所定位置は、コンクリート製品１３に透孔２１（図５）を設ける位置に対応させて定めることができる。
【００１７】
次に、吊り具１のピン体２の太径となっている下端側を、矢示３８（図８（ａ））のように型枠の下板１０の上に搭載し、ボルト４を矢示１２（図２（ａ））のように回転させ、ネジ部となっている下端７をナット１１の螺孔１１ａ内に螺入させて、吊り具１を型枠の下板１０に固定する。
【００１８】
ついで、コンクリートを型枠内に打設し、コンクリート硬化後、ボルト４を矢示１４（図２（ｂ））のように回転させて、ボルト４の下端７をナット１１、下板１０から取り外し、これによって上下方向に自由に移動できるようになったボルト４の頭部６下面とコンクリート製品１３の上面との間に、クレーン等の吊り上げ用機器に連結部材１７、１８等を介して連結されている吊り下げ具１５を挿入し、クレーンで矢示１６（図２（ｂ））のように上方向に引き上げる。
【００１９】
これによってボルト４は、矢示１６（図２（ｂ））のように上方向に引き上げられるが、円柱体５の下端近傍に設けられている鍔８が中空部９の上壁９ａに当接した（図２（ｂ））以降は、鍔８がピン体２の下端面である中空部９の上壁９ａに掛止されるので、ピン体２もボルト４と一体になって上方向に吊り上げられる（図２（ｃ））。
【００２０】
ここで、ピン体２は、コンクリート製品１３の底面側になる方（型枠の下板１０側）が太径で、コンクリート製品の表面側になる方（型枠の上側）が細径の円錐台形状に形成されているので、コンクリート製品１３も、ボルト４とピン体２とで一体に構成されている吊り具１と共に、吊り上げられ（図２（ｃ）、図３）、型枠から脱型される。
【００２１】
前記において、ボルト４を構成する円柱体５の符号ｂ（図２（ｂ））で表される部分の長さが短いと、吊り具１を型枠の下板１０に固定する際、ボルト４の下端ネジ部７がナット１１内に螺入され終わる前に、鍔８が下板１０に当接してしまうので、符号ｂ（図２（ｂ））で表される部分の長さは、ナット１１の螺孔１１ａの高さ（深さ）との関係で、不都合が生じないように設定する必要がある。また、円柱体５の符号ａ（図２（ａ））で表される部分の長さは、ボルト４をナット１１から取り外し終わる前に、鍔８が中空部９の上壁９ａに当接することがないように、中空部９の高さ（深さ）との関係で不都合が生じないように、定める必要がある。
【００２２】
型枠からコンクリート製品１３を脱型した後、図４（ａ）、（ｂ）に示すように、ハンマー１９などを用いて、コンクリートブロック脱型用吊り具１のボルトの頭部６から下端７方向に向けて、矢示２０のように打撃を与えて、吊り具１を抜き取れば、孔２１を有する有孔のコンクリート製品１３ができる。図４（ａ）はコンクリート製品１３を垂直状態にしておいて、吊り具１を抜き取る場合を表すものであり、図４（ｂ）はコンクリート製品１３を、木製の台２２の上などに搭載することによって、水平状態にしておいて、吊り具１を抜き取る場合を表すものである。吊り具１の抜き取り（取り外し）を容易にするため、吊り具１を型枠に取り付けた後、コンクリートを打設する前に、コンクリートの硬化遅延材などをピン体２の外周壁に塗布しておくこともできる。
【００２３】
こうしてコンクリート製品１３から抜き取られた（取り外された）コンクリートブロック脱型用吊り具１は、何度でも再使用することができる。
【００２４】
一方、成型されたコンクリート製品１３の透孔２１は、水抜き用の孔として利用したり、図５図示のようにロッド２２を差し込んで、現場据付けの際に使用することができる。
【００２５】
【実施例２】
この発明の他の好ましい実施例を図６、７、８を用いて説明する。
【００２６】
前記実施例１においては、ピン体２は、その下端側に、透孔３の下側に連続する中空部９を有するものが採用され、その一方、型枠の下板としては、面一な下板１０が採用されていた。
【００２７】
この実施例では、下端側に、透孔２５の下側に連続する中空部を有しないピン体２４を用い、一方、型枠の下板として、凹部３２を有する下板３１を採用したものである。
【００２８】
この実施例で用いる型枠の下板３１は、図８（ｂ）図示のように所定箇所に凹部３２を備えており、凹部３２の底面には透孔３７が設けられ、凹部３２の底面に、前記透孔３７に螺孔３３ａを臨ませたナット３３が固着されている。
【００２９】
本実施例におけるコンクリートブロック脱型用吊り具２３も、実施例１と同様に、内部に上下方向の透孔２５を有する金属製のピン体２４に、柱体たるボルト２６が貫装され、両者一体となって構成されている。ピン体２４は、下端側が太径で、上端側が細径の円錐台形状に構成されている。また、ボルト２６は、ピン体２４の上下方向透孔２５に挿通可能な円柱体２７と、その上端に螺着（固着）された頭部２８とによって構成されており、円柱体２７の下端２９は係合部として構成され、ネジ溝が刻設された（あるいはネジ山が設けられた）ネジ部となっている。また、円柱体２７の下端近傍には、透孔２５に挿通不能な突部としての鍔３０が設けられている（図６（ａ）、（ｂ））。
【００３０】
ボルト２６を矢示３４（図７（ａ））のように回転させ、下端ネジ部２９を、前記透孔３７を介して螺孔３３ａ内に螺入させることによって吊り具２３を、型枠の下板３１に固定する点、、コンクリート硬化後、ボルト２６を矢示３５（図７（ｂ））のように回転させて、ボルト２６の下端２９をナット３３、下板３１から取り外す点、その後、クレーン等の吊り上げ用機器に連結されている吊り下げ具１５とクレーンとを用いて矢示１６（図７（ｂ）、（ｃ））のように、上方向に引き上げる点については、前記実施例１と同様である。
【００３１】
また、ボルト２６の下端ネジ部２９がナット３３内に螺入され終わる前に鍔３０が凹部３２の底面に当接することがないように、更に、ボルト２６をナット３３から取り外し終わる前に鍔３０がピン体２４の下端面に当接することがないように、ボルト２６を構成する円柱体２７の符号ｃ（図７（ａ））、符号ｄ（図７（ｂ））で表される部分の長さを、ナット３３の螺孔３３ａの高さ（深さ）、凹部３２の高さ（深さ）との関係で、不都合が生じないように設定する必要があることも前記実施例１と同様である。
【００３２】
前記実施例１においては、鍔８が中空部９の上壁９ａに当接、掛止されたが、この実施例においては、鍔３０がピン体２４の下端面に当接、掛止される点が相違するのみで、吊り具としての作用、効果は実施例１の場合と同様である。
【００３３】
以上、この発明の好ましい実施例を図１乃至図８を用いて前記実施例１、２で説明したが、本発明は、以下に述べるように、前記実施例１、２で説明した態様に限られるものではない。
【００３４】
前記実施例１、２では、内部に上下方向の透孔を有し、下側から上側に向けて先細に形成されているピン体として、内部に上下方向の透孔３、２５を有する円錐台形状のピン体２、２４を採用したが、コンクリート製品１３からの抜き取り（取り外し）を考慮すると共に、コンクリートブロック脱型用吊り具１、２３を上方向に吊り上げた時に、コンクリート製品１３が当該吊り具１、２３と一緒に吊り上げられるように、ピン体の下側（コンクリート製品の底面側、すなわち型枠の下板側）からピン体の上側（コンクリート製品の表面側）に向けてピン体が先細に形成されていれば十分であるので、円錐台形状以外でも、角錐台形状など、下側から上側に向けて先細に形成されている形状のピン体は、いずれも本願発明の技術的範囲に含まれる。
【００３５】
また、前記実施例１、２では、ピン体内に貫装される柱体としてボルト４、２６を採用したが、ピン体２、２４の上下方向透孔３、２５に挿通可能で、上端側と下端側とに透孔３、２５に挿通不能な突部を有していて、下端に係合部を備えている柱体であれば、いかなるものも採用できる。ここで、上端側に備えられている透孔３、２５に挿通不能な突部は、コンクリートブロック脱型用吊り具１、２３を上方向に吊り上げる際に、クレーン等の吊り上げ用機器に連結されている吊り下げ具１５を掛止する部分としての役割を果たすものである。また、前記実施例では、下端側に備えられている透孔３、２５に挿通不能な突部として鍔８、３０を用いたが、これは、吊り上げの際に、コンクリートブロック脱型用吊り具１、２３とコンクリート製品１３との合算された重量を支え得る強度を有するものであれば十分であるので、鍔状部材に限られず、突起部などとすることもできる。更に、柱体下端の係合部は、前記実施例１、２のようなネジ溝（ネジ山）に限られず、下板１０、３１側に溝条を設け、柱体下端に前記溝条に嵌装、掛止される突起部を設ける、あるいはその逆の組み合わせにするなど、円柱体の下端側先端を係合、掛止、固定する上で、従来から知られている種々の形状、構造及びその組み合わせを採用することができる。
【００３６】
また、前記実施例１、２のようにネジ溝（ネジ山）を設けて係合部とする場合であっても、下板１０、３１を厚めに構成し、下板１０、３１に透孔でなく螺孔を設け、該螺孔に柱体下端のネジ溝（ネジ山）を螺入させる構成として、下板１０、３１の底面側にナット１１、３３を固着しない構成とすることもできる。
【００３７】
【発明の効果】
この発明のコンクリートブロック脱型用吊り具は、内部に上下方向の透孔を有するピン体と当該透孔に貫装されている柱体とが一体的に組み合わされており、コンクリートブロック等のコンクリート製品を成型するための型枠への取り付け（据付け）は、前記柱体下端の係合部を型枠の下板及び／又は下板底面に固着されているナットなどの係合部に係合、掛止するのみで行うことができるので、極めて容易であって、作業性が良好である。
【００３８】
また、コンクリート製品と一体になって吊り上げられるべく、ピン体の下側（コンクリート製品の底面側）からピン体の上側（コンクリート製品の表面側）に向けてピン体が先細に形成されているので、コンクリート製品からの取り外し（抜き取り）も容易で、作業性が良好である。すなわち、コンクリート製品を脱型した後に、該コンクリート製品から取り外す（抜き取る）だけでよく、従来の丸鋼吊り金物やアンカーピンのように、金物の切断や、脱型の際にアンカーピンを固定していた治具の取り外しなどの手間を要することがない。
【００３９】
更に、この発明のコンクリートブロック脱型用吊り具は、何度でも繰り返して使用することができ、また、有孔のコンクリート製品を製造するための孔開け用治具と兼用できるので、低コストで提供することができる。
【図面の簡単な説明】
【図１】（ａ）この発明の好ましい実施例の正面図、（ｂ）この発明の好ましい実施例の一部を断面した正面図。
【図２】この発明の吊り具の使用状態を説明する図であって、（ａ）は吊り具を型枠に取り付けた状態を表す一部を断面した正面図、（ｂ）は吊り上げ開始時を表す一部を断面した正面図、（ｃ）は吊り上げている状態を表す一部を断面した正面図。
【図３】この発明の吊り具を用いてコンクリートブロックを吊り上げている状態を表す一部を断面した正面図。
【図４】（ａ）コンクリート製品を垂直状態にしておいて吊り具を抜き取る状態を表す一部を断面した正面図、（ｂ）コンクリート製品を水平状態にしておいて吊り具を抜き取る状態を表す一部を断面した正面図。
【図５】この発明の吊り具が取り外されたコンクリート製品の斜視図。
【図６】（ａ）この発明の他の好ましい実施例の正面図、（ｂ）この発明の他の好ましい実施例の一部を断面した正面図。
【図７】図６図示の吊り具の使用状態を説明する図であって、（ａ）は吊り具を型枠に取り付けた状態を表す一部を断面した正面図、（ｂ）は吊り上げ開始時を表す一部を断面した正面図、（ｃ）は吊り上げている状態を表す一部を断面した正面図。
【図８】（ａ）この発明の吊り具が取り付けられる型枠の下板の一部を省略した断面図、（ｂ）他の下板の一部を省略した断面図。
【図９】（ａ）従来の吊り具が取り付けられたコンクリート製品を型枠から脱型する状態を説明する斜視図、（ｂ）従来の吊り具のコンクリート製品への取り付け部を表す断面図。
【符号の説明】
１、２３    コンクリートブロック脱型用吊り具
２、２４    ピン体
３、２５    透孔
４、２６    ボルト（柱体）
６、２８    ボルトの頭部
７、２９    ネジ部（係合部）
８、３０    鍔（突部）
９          中空部
１３、４０  コンクリートブロック
【図１】
0004154488.tif 000002
【図２】
0004154488.tif 000003
【図３】
0004154488.tif 000004
【図４】
0004154488.tif 000005
【図５】
0004154488.tif 000006
【図６】
0004154488.tif 000007
【図７】
0004154488.tif 000008
【図８】
0004154488.tif 000009
【図９】
0004154488.tif 000010